(57)【要約】【課題】吐出された内容物を両手で受け取ることができるうえ、内容物の吐出操作、及び吐出された内容物の受け取りを片手だけで行う。【解決手段】吐出器１は、内容物が収容される容器本体Ａの口部Ａ１に、上方付勢状態で下方移動可能に配設されるステム３と、ステム３を上下動可能に収容すると共にステム３内に連通し、ステム３の下方移動に伴うステム３からの内容物を貯留する貯留シリンダ１０と、貯留シリンダ１０内に連通し、且つ内容物を吐出する吐出孔１１が形成されたノズル筒１２と、ステム３に連係して上下動すると共に、貯留シリンダ１０内に上下摺動可能に配設された吐出ピストン１３と、ステム３に連係して上下動する押下ヘッド５と、押下ヘッド５を最下降位置に保持するとともに操作部８２を有する保持部６と、を備え、保持部６は、操作部８２が操作されたときに押下ヘッド５の保持を解除する。【選択図】図３
2018002202.tif 000002
【特許請求の範囲】
【請求項１】
内容物が収容される容器本体の口部に、上方付勢状態で下方移動可能に配設されるステムと、
前記ステムを上下動可能に収容すると共に前記ステム内に連通し、前記ステムの下方移動に伴う前記ステムからの内容物を貯留する貯留シリンダと、
前記貯留シリンダ内に連通し、且つ内容物を吐出する吐出孔が形成されたノズル筒と、
前記ステムに連係して上下動すると共に、前記貯留シリンダ内に上下摺動可能に配設された吐出ピストンと、
前記ステムに連係して上下動する押下ヘッドと、
前記押下ヘッドを最下降位置に保持するとともに操作部を有する保持部と、を備え、
前記保持部は、前記操作部が操作されたときに前記押下ヘッドの保持を解除する吐出器。
【請求項２】
請求項１に記載の吐出器において、
前記保持部は、前記押下ヘッドの上下動に連係する上側係止部と、前記上側係止部の下方に配置された下側係止部と、を備え、
前記押下ヘッドが最下降位置に向けて下降するときに、前記上側係止部および前記下側係止部が互いに摺接しながら、前記上側係止部および前記下側係止部のうちの少なくとも一方が変位して、前記上側係止部および前記下側係止部が互いに係止することで、前記保持部が前記押下ヘッドの上昇移動を規制する吐出器。
【請求項３】
請求項２に記載の吐出器において、
前記ステムの軸線回りに沿う周方向への、前記上側係止部と前記下側係止部との相対的な移動を規制する規制部を更に備える吐出器。
【請求項４】
請求項１から３のいずれか１項に記載の吐出器において、
前記ノズル筒は、前記貯留シリンダ側から前方に向けて延び、
前記操作部は、前記貯留シリンダよりも前方に配置されている吐出器。
【請求項５】
請求項１から４のいずれか１項に記載の吐出器において、
前記押下ヘッドが最下降位置に位置するときに、前記操作部は、前記吐出孔よりも下方に配置される吐出器。
【請求項６】
請求項１から５のいずれか１項に記載の吐出器において、
前記ステム内に連通した液用シリンダと、
前記ステムに連係して上下動すると共に、前記液用シリンダ内に上下摺動可能に配設され、前記ステムの下方移動に伴って前記液用シリンダ内の内容物を前記ステム内に供給する液用ピストンと、を備える吐出器。
【請求項７】
請求項６に記載の吐出器において、
前記貯留シリンダの内容積のうち前記吐出ピストンの下方移動に伴って増加する増加容積は、前記液用シリンダの内容積のうち前記液用ピストンの下方移動に伴って減少する容積分以上の容積とされている吐出器。
【発明の詳細な説明】
【技術分野】
【０００１】
本発明は、吐出器に関する。
【背景技術】
【０００２】
従来から、例えば下記特許文献１に示されるように、容器本体の口部に装着される有頂筒状の装着キャップと、装着キャップに上方付勢状態で下方移動可能に貫設されたステムを有するポンプと、ステムの上端部に装着されると共に吐出孔が形成された押下ヘッドと、を備えた吐出器が知られている。
上記ポンプは、ステムに連係して上下動するピストンと、ピストンが上下摺動可能に嵌合されたシリンダと、シリンダの下端開口を開閉する下部弁体と、を主に備えている。
【０００３】
このように構成された吐出器では、押下ヘッドの押下によりステムを下方に移動させることで、シリンダに対してピストンを下降させることができる。これにより、シリンダ内の内容物をステム内に流入させた後、吐出孔を通じて外部に吐出することができる。
【先行技術文献】
【特許文献】
【０００４】
【特許文献１】特開２０１２−２３２２２８号公報
【発明の概要】
【発明が解決しようとする課題】
【０００５】
しかしながら、上記従来の吐出器では、押下ヘッドの押下時に内容物が吐出されるので、例えば手の平に内容物を吐出する場合には、片手（押下ヘッドを押下している手とは反対の手）で内容物を受け取ることになり、両手で受け取ることが難しかった。
また、何らかの理由によって片手が塞がっている場合（子供を抱いている場合等）には、もう一方の片手で押下ヘッドを押下できたとしても、吐出された内容物をその手で受け取ることが難しい。
【０００６】
本発明は、このような事情に鑑みてなされたものであって、その目的は、吐出された内容物を両手で受け取ることができるうえ、内容物の吐出操作、及び吐出された内容物の受け取りを片手だけで行うことができる吐出器を提供することである。
【課題を解決するための手段】
【０００７】
前記課題を解決するために、本発明は以下の手段を提案している。
本発明に係る吐出器は、内容物が収容される容器本体の口部に、上方付勢状態で下方移動可能に配設されるステムと、前記ステムを上下動可能に収容すると共に前記ステム内に連通し、前記ステムの下方移動に伴う前記ステムからの内容物を貯留する貯留シリンダと、前記貯留シリンダ内に連通し、且つ内容物を吐出する吐出孔が形成されたノズル筒と、前記ステムに連係して上下動すると共に、前記貯留シリンダ内に上下摺動可能に配設された吐出ピストンと、前記ステムに連係して上下動する押下ヘッドと、前記押下ヘッドを最下降位置に保持するとともに操作部を有する保持部と、を備え、前記保持部は、前記操作部が操作されたときに前記押下ヘッドの保持を解除する。
【０００８】
本発明によれば、押下ヘッドを押下し、貯留シリンダに対してステムを下方移動させることで、吐出ピストンを貯留シリンダ内で下方移動させることができると共に、ステムからの内容物を貯留シリンダ内に一旦貯留することができる。また、押下ヘッドが最下降位置まで下降したときに、保持部によって押下ヘッドを最下降位置に保持することができる。
その後、操作部を操作し、保持部による押下ヘッドの保持を解除すると、ステムは上方付勢力によって上方に復元移動する。そのため、吐出ピストンは、ステムの復元移動に伴って貯留シリンダ内を上方移動し、貯留シリンダ内に貯留された内容物を貯留シリンダ内から押し出すようにノズル筒内に供給する。これにより、吐出孔を通じて内容物を外部に吐出することができる。
【０００９】
このように、貯留シリンダ内に内容物を一旦貯留できるので、押下げ操作等によってステムを下方移動させたときに内容物が吐出されることを防止でき、その後、ステムを上方に復元移動させたときに内容物を吐出させることができる。
従って、吐出された内容物を、片手だけでなく両手で受け取ることができる。さらに、例えば片手が何等かの理由で塞がっている場合（例えば子供を抱いている場合や、荷物を持っている場合等）であっても、もう一方の片手だけで、内容物の吐出操作及び吐出された内容物の受け取りを行うことができる。従って、非常に使い易く、利便性を向上することができる。
しかも、内容物が貯留シリンダ内に一旦貯留され、押下ヘッドが最下降位置まで下降したときに、保持部によって押下ヘッドを最下降位置に保持することができる。よって、押下ヘッドの押下を解除して押下ヘッドから手を離したときに、押下ヘッドおよびステムが上昇して内容物が吐出されるのを防ぐことができる。従って、押下ヘッドから離した手をノズル筒に接近させた後に操作部を操作し、押下ヘッドおよびステムを上昇させて内容物を吐出させることができる。また、例えば吐出終了後、次回の吐出のために押下ヘッドを下降させて保持部によって押下ヘッドを最下降位置に保持することで、次回の吐出を円滑に実施することもできる。従って、利便性を更に向上することができる。
【００１０】
前記保持部は、前記押下ヘッドの上下動に連係する上側係止部と、前記上側係止部の下方に配置された下側係止部と、を備え、前記押下ヘッドが最下降位置に向けて下降するときに、前記上側係止部および前記下側係止部が互いに摺接しながら、前記上側係止部および前記下側係止部のうちの少なくとも一方が変位して、前記上側係止部および前記下側係止部が互いに係止することで、前記保持部が前記押下ヘッドの上昇移動を規制してもよい。
【００１１】
この場合には、押下ヘッドが最下降位置に向けて下降するときに、上側係止部および下側係止部が互いに摺接しながら、上側係止部および下側係止部のうちの少なくとも一方が変位して、上側係止部および下側係止部が互いに係止することで、保持部が押下ヘッドの上昇移動を規制する。従って、押下ヘッドが最下降位置に向けて下降させる作業を実施することにより、保持部によって押下ヘッドを最下降位置に保持することができる。これにより、利便性を更に一層向上することができる。
【００１２】
前記ステムの軸線回りに沿う周方向への、前記上側係止部と前記下側係止部との相対的な移動を規制する規制部を更に備えてもよい。
【００１３】
この場合には、規制部が、上側係止部と下側係止部との周方向への相対的な移動を規制する。したがって、押下ヘッドが最下降位置に向けて下降するときに、上側係止部および下側係止部を周方向に相対的に位置決めした上で確実に係止させ合うことができる。
【００１４】
前記ノズル筒は、前記貯留シリンダ側から前方に向けて延び、前記操作部は、前記貯留シリンダよりも前方に配置されていてもよい。
【００１５】
この場合には、ノズル筒が、貯留シリンダ側から前方に向けて延び、かつ操作部が、貯留シリンダよりも前方に配置されている。従って、操作部を手で操作して保持部による押下ヘッドの保持を解除した直後、その手をノズル筒に接近させておくことができる。これにより、利便性を更に向上することができる。
【００１６】
前記押下ヘッドが最下降位置に位置するときに、前記操作部は、前記吐出孔よりも下方に配置されてもよい。
【００１７】
この場合には、押下ヘッドが最下降位置に位置するときに、操作部が、吐出孔よりも下方に配置される。従って、操作部を手で操作して保持部による押下ヘッドの保持を解除した直後、その手を吐出孔の下方に位置させておくことができる。これにより、利便性を更に向上することができる。
【００１８】
前記ステム内に連通した液用シリンダと、前記ステムに連係して上下動すると共に、前記液用シリンダ内に上下摺動可能に配設され、前記ステムの下方移動に伴って前記液用シリンダ内の内容物を前記ステム内に供給する液用ピストンと、を備えてもよい。
【００１９】
この場合には、貯留シリンダに対してステムを下方移動させると、ステムに連係して液用ピストンが液用シリンダ内を下方移動する。これにより、液用シリンダ内の内容物を、ステム内を通じて貯留シリンダ内に供給することができる。従って、一度の吐出操作で吐出される内容物の吐出量を、液用シリンダの内容積で規定し易く、例えば決まった量の内容物を吐出することが可能となる。
【００２０】
前記貯留シリンダの内容積のうち前記吐出ピストンの下方移動に伴って増加する増加容積は、前記液用シリンダの内容積のうち前記液用ピストンの下方移動に伴って減少する容積分以上の容積とされていてもよい。
【００２１】
この場合には、ステムを下方移動させた際、貯留シリンダの内容積を超える量の内容物が貯留シリンダ内に供給されることを防止することができる。従って、ステムの下方移動時に、貯留シリンダ内に内容物を確実に貯留でき、貯留シリンダ内からノズル筒内に内容物が流入し難い。そのため、ステムの下方移動時に、内容物が吐出孔から漏れることを効果的に防止し易い。
【発明の効果】
【００２２】
本発明に係る吐出器によれば、吐出された内容物を両手で受け取ることができるうえ、内容物の吐出操作、及び吐出された内容物の受け取りを片手だけで行うことができる。
【図面の簡単な説明】
【００２３】
【図１】本発明に係る吐出器の第１実施形態を示す縦断面図である。
【図２】図１に示す吐出器のＡ−Ａ矢視断面図である。
【図３】図１に示す状態から、押下ヘッドを押し下げることでステムを最上昇位置から最下降位置まで下方移動させ、貯留シリンダ内に内容物を貯留した状態を示す縦断面図である。
【図４】図３に示す状態から、押下ヘッドの押し下げを解除してステムを上方に復元移動させ、貯留シリンダ内に貯留された内容物を吐出している状態を示す縦断面図である。
【図５】本発明に係る吐出器の第２実施形態を示す縦断面図である。
【図６】図５に示す吐出器の正面図である。
【図７】図５に示す吐出器のＢ−Ｂ矢視断面図である。
【図８】図５に示す状態から、押下ヘッドを押し下げることでステムを最上昇位置から最下降位置まで下方移動させ、貯留シリンダ内に内容物を貯留した状態を示す縦断面図である。
【図９】図８に示す吐出器の正面図である。
【図１０】本発明に係る吐出器の第３実施形態を示す縦断面図である。
【図１１】図１０に示す吐出器の正面図である。
【図１２】図１０に示す吐出器のＣ−Ｃ矢視断面図である。
【図１３】図１０に示す状態から、押下ヘッドを押し下げることでステムを最上昇位置から最下降位置まで下方移動させ、貯留シリンダ内に内容物を貯留した状態を示す縦断面図である。
【発明を実施するための形態】
【００２４】
（第１実施形態）
以下、本発明に係る吐出器の第１実施形態について図面を参照して説明する。
図１及び図２に示すように、本実施形態の吐出器１は、内容物が収容される容器本体Ａの口部Ａ１に装着される装着キャップ２と、容器本体Ａの口部Ａ１に上方付勢状態で下方移動可能に配設される筒状のステム３を有するポンプ（吐出機構）４と、ステム３に連係して上下動する押下ヘッド５と、を備えている。
【００２５】
なお、本実施形態では、吐出器１が装着される容器本体Ａにおける横断面の中央を通る中心軸を軸線Ｏといい、軸線Ｏに沿った押下ヘッド５側を上方、その反対側を下方という。また、軸線Ｏ方向から見た平面視で軸線Ｏに直交する方向を径方向といい、軸線Ｏ回りに周回する方向を周方向という。
【００２６】
装着キャップ２は、環状の天壁部を有する有頂筒状に形成され、軸線Ｏと同軸に配置されると共に容器本体Ａの口部Ａ１に螺着されている。
なお、装着キャップ２の装着方法は、螺着に限定されるものではなく、例えばアンダーカット嵌合により容器本体Ａの口部Ａ１に装着されても構わない。
天壁部は、後述する液用シリンダ１４のフランジ部４１上に配置され、液用シリンダ１４の上方への抜けを防止している。
【００２７】
ポンプ４は、上記ステム３と、ステム３を上下動可能に収容すると共にステム３内に連通し、ステム３の下方移動に伴うステム３からの内容物を貯留する貯留シリンダ１０と、貯留シリンダ１０内に連通し、且つその先端に内容物を吐出する吐出孔１１が形成されたノズル筒１２と、貯留シリンダ１０およびノズル筒１２に各別に連結された規制板１６と、貯留シリンダ１０内に上下摺動可能に配設された吐出ピストン１３と、ステム３を上下動可能に収容すると共にステム３内に連通した液用シリンダ１４と、ステム３に連係して上下動すると共に液用シリンダ１４内に上下摺動可能に配設された液用ピストン１５と、を備えている。
【００２８】
貯留シリンダ１０は、軸線Ｏと同軸に配設された筒状に形成され、装着キャップ２と一体に形成されている。
貯留シリンダ１０は、装着キャップ２における天壁部の内周縁部から上方に向けて延びた貯留筒部２０と、貯留筒部２０よりも上方に配置され、且つ貯留筒部２０よりも径が小さいガイド筒部２１と、貯留筒部２０の上端部とガイド筒部２１の下端部とを接続する環状の頂壁部２２と、頂壁部２２に立設されてガイド筒部２１を径方向の外側から囲繞する囲繞筒部２７と、を備えている。
【００２９】
貯留筒部２０と装着キャップ２の天壁部との接続部分には、貯留筒部２０の内部と外部とを連通する第１空気孔２３が形成されている。ガイド筒部２１は、内径がステム３の内径よりも小さくなるように形成され、その内側には押下ヘッド５の後述する連係筒部７１が上下動可能に挿通されている。
【００３０】
ガイド筒部２１と頂壁部２２との接続部分には、連係筒部７１の外周面に摺接する環状のシール部２４が下方に向けて突設されている。これにより、連係筒部７１とシール部２４との間は密にシールされている。
【００３１】
ノズル筒１２は、貯留シリンダ１０側から前方に向けて延びている。以下では、径方向のうち、ノズル筒１２が貯留シリンダ１０から延びる方向を前方、その逆方向を後方とし、軸線Ｏ方向および前後方向に直交する方向を左右方向とする。
ノズル筒１２は、貯留シリンダ１０のガイド筒部２１に一体に形成された第１ノズル筒３０と、第１ノズル筒３０に連結された第２ノズル筒３１と、第２ノズル筒３１に連結された第３ノズル筒３２と、を備え、貯留シリンダ１０に連結されている。
【００３２】
第１ノズル筒３０は、ガイド筒部２１の外周面から径方向外側に向けて延びて囲繞筒部２７を貫通するように形成され、その一部は頂壁部２２に一体に形成されている。頂壁部２２のうち第１ノズル筒３０と一体に形成された部分には、頂壁部２２を上下に貫通する貫通孔２５が形成されている。これにより、貯留筒部２０内と第１ノズル筒３０内とは、貫通孔２５を通じて連通している。
第１ノズル筒３０は、装着キャップ２よりも径方向外側に突出しており、その先端部側は第１ノズル筒３０の他の部分よりも外径が小さい小径筒部３０ａとされている。
【００３３】
第２ノズル筒３１は、第１ノズル筒３０の小径筒部３０ａに外嵌されると共に、中間部分が下方に向けて略９０度の角度で折曲されている。第２ノズル筒３１の先端部側は、第２ノズル筒３１の他の部分よりも外径が小さい小径筒部３１ａとされている。
【００３４】
第３ノズル筒３２は、第２ノズル筒３１の小径筒部３１ａに外嵌されると共に、その先端には吐出孔１１が形成されている。図示の例では、吐出孔１１は縦断面視テーパー状に形成され、下方に向けて開口している。
第２ノズル筒３１内及び第３ノズル筒３２内には、軸線Ｏ方向に延びた円柱状の芯体３３が配設されている。芯体３３は、その外径が第２ノズル筒３１及び第３ノズル筒３２の内径よりも小さく形成されていると共に、吐出孔１１との間に若干の隙間をあけて配設されている。これにより、内容物は、芯体３３の外周面と、第２ノズル筒３１及び第３ノズル筒３２の内周面との間を流れ、吐出孔１１から外部に吐出される。
【００３５】
なお、図示の例では、ノズル筒１２は側面視Ｌ字状に形成されているが、この場合に限定されるものではなく、例えば貯留シリンダ１０から径方向外側に向けて延びたストレート状に形成されていても構わない。また、芯体３３の先端部に有頂筒状のノズルチップを装着し、内容物を例えば霧状に吐出させても構わない。
【００３６】
規制板１６は、貯留シリンダ１０から前方に向けて突出している。規制板１６は、軸線Ｏ方向に長い矩形状に形成されている。規制板１６の上端部は、ノズル筒１２（第１ノズル筒３０）に連結され、規制板１６の下端部は、装着キャップ２に連結されている。規制板１６は、周方向に間隔をあけて一対設けられている。
【００３７】
液用シリンダ１４は、筒状に形成され、容器本体Ａの口部Ａ１の内側に軸線Ｏと同軸に配設されている。液用シリンダ１４は、パッキン４０を介して容器本体Ａの口部Ａ１の上方開口端上に配置された環状のフランジ部４１と、フランジ部４１の内周縁部から下方に向けて延びた直筒部４２と、直筒部４２の下端部からさらに下方に向けて延びた吸込み筒部４３と、を備えている。
【００３８】
直筒部４２には、フランジ部４１よりも下方に位置する部分に、直筒部４２を径方向に貫通する第２空気孔４４が形成されている。これにより、容器本体Ａ内と液用シリンダ１４内とは、第２空気孔４４を通じて連通している。
直筒部４２と吸込み筒部４３との接続部分には、径方向内側に向けて突設された環状の下弁座部４５が形成されている。下弁座部４５の内側は、液用シリンダ１４内と容器本体Ａ内とを連通させる連通孔４６とされている。
【００３９】
吸込み筒部４３の内側には、容器本体Ａ内の内容物を吸い上げるチューブ体４７が嵌合されている。チューブ体４７は、例えば容器本体Ａの底部付近まで延び、上端部が下弁座部４５に対して下方から接触している。
【００４０】
直筒部４２内には、連通孔４６を開閉する下部弁体５０が配設されている。下部弁体５０は、液用シリンダ１４内の加圧時に連通孔４６を閉塞した状態に維持し、且つ液用シリンダ１４内の減圧時に連通孔４６を開放する逆止弁とされている。
下部弁体５０は、連通孔４６を開閉する弁本体５１と、下弁座部４５上に配設され、弁本体５１を支持する支持筒部５２と、弁本体５１の上方に配置されると共に支持筒部５２の上端部に連結された支持軸部５３と、を備えている。
【００４１】
支持筒部５２は、軸線Ｏと同軸に配置され、直筒部４２の内側に嵌合されている。
弁本体５１は、軸線Ｏと同軸に配置された平面視円板状に形成され、下弁座部４５に対して上方に離反可能に着座して連通孔４６を閉塞する下弁体５４と、下弁体５４と支持筒部５２との間に周方向に間隔をあけて配設され、支持筒部５２に対して下弁体５４を軸線Ｏ方向に弾性変位可能に支持する複数の弾性支持片５５と、を備えている。
【００４２】
弾性支持片５５は、内端部が下弁体５４の外周縁部に一体に接続され、且つ外端部が支持筒部５２の内周面に一体に接続されている。なお、弁本体５１は、弾性支持片５５を例えば３つ具備する３点弁とされている。
支持軸部５３は、例えば平面視十字状に形成されている。これにより、支持筒部５２内の空間と、液用シリンダ１４内において支持軸部５３よりも上方に位置する空間と、は互いに連通している。支持軸部５３には、ステム３を上方に付勢するコイルばね５６が外挿されている。
【００４３】
ステム３は、貯留シリンダ１０内及び液用シリンダ１４内に軸線Ｏと同軸に配設されている。ステム３は、コイルばね５６からのばね力（付勢力）を受けて上方付勢されていると共に、押下ヘッド５の押し下げ操作に伴って下方移動可能に配設されている。ステム３は、貯留筒部２０の内径及び直筒部４２の内径よりも外径が小さく、且つ後述する連係筒部７１の外径よりも内径が大きい筒状に形成されている。ステム３の内部は、貯留シリンダ１０内及び液用シリンダ１４内に連通している。
【００４４】
吐出ピストン１３は、ステム３に一体的に形成されている。吐出ピストン１３は、貯留筒部２０の内周面に対して上下摺動可能に接した吐出筒部５７と、ステム３の上端部から径方向外側に向かって突設され、吐出筒部５７に連結された環状の連結部５８と、を備えている。
吐出筒部５７は、上端部が連結部５８との接続部分から上方に向かうに従い漸次拡径し、且つ下端部が連結部５８との接続部分から下方に向かうに従い漸次拡径している。これにより、吐出ピストン１３は、貯留筒部２０の内周面に対して、その全周に亘って密に摺接している。
【００４５】
貯留シリンダ１０の頂壁部２２には、下方に向けて突出した規制片５９が周方向に間隔をあけて複数形成されている。そして、吐出ピストン１３の連結部５８は、規制片５９に対して下方から接触している。これにより、吐出ピストン１３及びステム３は、それ以上の上方移動が規制され、図１に示すように最上昇位置が位置決めされる。
【００４６】
吐出ピストン１３は、上述のようにステム３に一体的に形成されているので、ステム３に連係して上下動する。従って、ステム３と共に吐出ピストン１３が下方移動すると、図３に示すように貯留シリンダ１０内には吐出ピストン１３の上方に位置するように貯留空間Ｓが画成される。これにより、貯留空間Ｓを利用して、ステム３からの内容物を貯留シリンダ１０内に貯留することが可能となる。
なお、吐出ピストン１３は、ステム３と共に上方に復元移動すると、貯留空間Ｓ内に貯留された内容物を貯留シリンダ１０内から押し出すように、貫通孔２５を通じてノズル筒１２内に移送させる。
【００４７】
液用ピストン１５は、図１に示すように、軸線Ｏと同軸に配設されると共に、液用シリンダ１４の直筒部４２内に上下摺動可能に配設されている。
液用ピストン１５は、直筒部４２の内周面に対して上下摺動可能に接した液筒部６０と、ステム３の内側に嵌合され、その下端部が液筒部６０に連結された連結筒部６１と、を備えている。
【００４８】
連結筒部６１は、ステム３よりも下方に延びており、その下端部における外周面が液筒部６０における上下方向の中間部分に連結されている。
連結筒部６１の上方開口端は、後述する連係筒部７１の下方開口端よりも下方に位置し、且つ連係筒部７１の下方開口端に対して隙間をあけて対向配置されている。なお、連結筒部６１の下方開口端は上弁座部６２として機能する。
【００４９】
液筒部６０は、上端部が連結筒部６１との接続部分から上方に向かうに従い漸次拡径し、且つ下端部が連結筒部６１との接続部分から下方に向かうに従い漸次拡径している。これにより、吐出ピストン１３は、直筒部４２の内周面に対して、その全周に亘って密に摺接している。
【００５０】
液用ピストン１５は、上述のように連結筒部６１がステム３に嵌合されているので、ステム３に連係して上下動する。従って、ステム３と共に液用ピストン１５が下方移動することで液用シリンダ１４内を加圧することができると共に、図３に示すように液用シリンダ１４内に吸い上げられている内容物を、ステム３内を通じて貯留シリンダ１０側に移送させることができる。
【００５１】
なお、液筒部６０は、図１に示すように、ステム３が最上昇位置に位置しているときに、直筒部４２に形成された第２空気孔４４を径方向内側から閉塞し、図３に示すようにステム３に伴って液用ピストン１５が下方移動したときに、第２空気孔４４を開放させる。
これにより、ステム３が下降移動してから元の位置（最上昇位置）に復元移動するまでの間、容器本体Ａ内は第２空気孔４４及び第１空気孔２３を通じて外部に連通する。
【００５２】
図１に示すように、液用ピストン１５内には、上部弁体６５が軸線Ｏと同軸に配置された状態で上下動可能に配設されている。
上部弁体６５は、連結筒部６１の上弁座部６２に対して下方から着座する平面視円形状の上弁体６６と、上弁体６６から上方に向けて延び、連結筒部６１内に下方から挿通された挿入筒部６７と、を備えている。
【００５３】
挿入筒部６７は、連結筒部６１よりも上方に突出していると共に、連結筒部６１の内径よりも外径が小さく形成されている。そのため、挿入筒部６７と連結筒部６１との間には、環状の第１流通路Ｒ１が形成されている。
【００５４】
上弁体６６は、液筒部６０の内側に上下摺動可能に配設されていると共に、上弁座部６２に対して下方に離反可能に着座している。上弁体６６の外周縁部の一部には、上弁体６６を軸線Ｏ方向に貫通する流通孔６８が形成されている。
上弁体６６の中央部分には、下方に向けて突出した支持壁６９が形成されている。なお、支持壁６９は平面視十字状となるように形成されている。
【００５５】
上部弁体６５と下部弁体５０との間には、コイルばね５６が圧縮状態で配設されている。コイルばね５６は、下端部側が下部弁体５０の支持軸部５３に外挿され、且つ上端部側が支持壁６９に外挿されており、上部弁体６５と下部弁体５０とを軸線Ｏ方向に互いに離間させるように付勢している。
これにより、上部弁体６５はコイルばね５６によって上方に付勢され、上弁体６６は上弁座部６２に対して押し付けられた状態で着座している。
【００５６】
そのため、第１流通路Ｒ１内と液用シリンダ１４内とは、上弁体６６によって連通が遮断されている。一方、図３に示すように、コイルばね５６のばね力（付勢力）に抗して上部弁体６５が下方移動した場合には、上弁体６６が上弁座部６２から下方に離間するので、第１流通路Ｒ１内と液用シリンダ１４内とが流通孔６８を通じて連通する。
このように、上部弁体６５は、コイルばね５６のばね力を利用して第１流通路Ｒ１内と液用シリンダ１４内とを遮断し、且つ押下ヘッド５の押し下げ操作に伴う下方移動によって、第１流通路Ｒ１内と液用シリンダ１４内とを連通させる。
【００５７】
図１に示すように、押下ヘッド５は、頂壁部及び周壁部を有する有頂筒状のヘッド部７０と、ヘッド部７０の頂壁部から下方に向けて延びると共に、貯留シリンダ１０のガイド筒部２１内に上方から挿入された連係筒部７１と、ヘッド部７０の頂壁部から下方に向けて延びると共に、連係筒部７１の後方に位置する第１装着筒部７３と、を備えている。
ヘッド部７０は、貯留シリンダ１０の上方に、貯留シリンダ１０から一定の間隔（ストローク）をあけて配置されている。これにより、押下ヘッド５は一定のストローク分、押下げ操作可能とされている。
【００５８】
連係筒部７１は、ガイド筒部２１に上下動可能に支持されていると共に、ステム３内にも挿入されている。連係筒部７１の下端部は上部弁体６５の挿入筒部６７に外嵌されている。これにより、連係筒部７１及び上部弁体６５は一体に連結され、上部弁体６５は押下ヘッド５に伴って上下動可能とされている。
【００５９】
先に述べたように、ステム３の内径は連係筒部７１の外径よりも大きいので、連係筒部７１とステム３との間には環状の第２流通路Ｒ２が形成されている。そして、連係筒部７１の下方開口端と、液用ピストン１５における連結筒部６１の上方開口端との間には隙間が形成されている。これにより、第１流通路Ｒ１と第２流通路Ｒ２とは、この隙間を通じて互いに連通している。
【００６０】
連係筒部７１の下方開口端には、下方に向けて突出すると共に周方向に間隔をあけて配置された複数の突起片７２が形成されている。そのため、押下ヘッド５の押し下げによって連係筒部７１が下方移動しはじめると、図３に示すように突起片７２が連結筒部６１の上方開口端に上方から接触する。
なお、この場合であっても、第１流通路Ｒ１と第２流通路Ｒ２とは、周方向に隣り合う突起片７２同士の間を通じて互いに連通している。
【００６１】
また、上部弁体６５は連係筒部７１と共に下方移動するので、突起片７２が連結筒部６１の上方開口端に接触した際、上弁体６６が上弁座部６２から下方に向けて離反する。これにより、第１流通路Ｒ１内と液用シリンダ１４内とが流通孔６８を通じて連通する。そのため、液用シリンダ１４内は、第１流通路Ｒ１内及び第２流通路Ｒ２内を通じて貯留シリンダ１０内に連通する。
【００６２】
さらに、突起片７２が連結筒部６１の上方開口端に接触した後、押下ヘッド５の押し下げによって連係筒部７１がさらに下方移動すると、突起片７２によって液用ピストン１５も押し下げられ、液用ピストン１５及びステム３が、押下ヘッド５及び上部弁体６５と一体となって下方移動する。
そのため、液用ピストン１５が液用シリンダ１４内を下方移動し、液用シリンダ１４の内容積が減少して内圧が上昇する（加圧される）。従って、下部弁体５０が連通孔４６を閉塞するので、液用シリンダ１４内の内容物を、第１流通路Ｒ１内及び第２流通路Ｒ２内を通じて貯留シリンダ１０側に供給することが可能となる。
【００６３】
なお、貯留シリンダ１０における貯留空間Ｓの内容積のうち、吐出ピストン１３の下方移動に伴って増加する増加容積は、液用シリンダ１４の内容積のうち液用ピストン１５の下方移動に伴って減少する容積分以上の容積となるように設定されている。
具体的には、例えば貯留筒部２０の外径や、貯留筒部２０の長さ（軸線Ｏ方向に沿った長さ）を変更することで、貯留シリンダ１０の内容積の調整を行うことが可能である。
【００６４】
第１装着筒部７３は、連係筒部７１よりも軸線Ｏ方向に小さい。第１装着筒部７３は、ヘッド部７０の頂壁部の上面に開口している。
【００６５】
そして本実施形態では、吐出器１は、保持部６と、規制部７と、を更に備えている。
保持部６は、押下ヘッド５を、図３に示すような最下降位置に保持する。図１及び図２に示すように、保持部６は、可動体８０を備えている。本実施形態では、可動体８０は、押下ヘッド５に連係して上下動する。
【００６６】
可動体８０は、本体部８１と、操作部８２と、連結部８３と、を備えている。
本体部８１は、押下ヘッド５に装着されている。本体部８１は、押下ヘッド５から下方に向けて延びている。本体部８１は、貯留シリンダ１０の後方に配置されている。本体部８１の上端部は、第１装着筒部７３に装着されている。押下ヘッド５が最上昇位置に位置するときに、本体部８１の下端部は、ノズル筒１２と軸線Ｏ方向に同等の位置に配置され、貯留シリンダ１０と前後方向に対向している。本体部８１の下端部には、本体部８１を前後方向に貫通する係止孔８１ａが形成されている。
【００６７】
操作部８２は、人の手により押し込み可能に形成されている。本実施形態では、操作部８２は、操作部８２の前方から押し込み可能とされている。操作部８２は、表裏面が前後方向を向く板状に形成されている。操作部８２は、吐出器１を左右方向から見た側面視において、下方から上方に向かうに従い漸次、後方に向かうように傾斜している。
【００６８】
操作部８２は、貯留シリンダ１０よりも前方に配置され、第３ノズル筒３２よりも後方に配置されている。操作部８２は、第１ノズル筒３０よりも下方に配置されている。押下ヘッド５が最上昇位置に位置するときに、操作部８２の上端部は、ノズル筒１２に下方から係止している。これにより、押下ヘッド５の更なる上昇移動が規制されている。
【００６９】
連結部８３は、本体部８１と操作部８２とを連結する。連結部８３は、左右方向に間隔をあけて一対、設けられている。図２に示すように、一対の連結部８３は、貯留シリンダ１０およびノズル筒１２を左右方向から挟み込んでいる。各連結部８３は、前後方向に延びている。連結部８３の後端部は、本体部８１の下端部に連結され、連結部８３の前端部は、操作部８２の上端部に連結されている。
【００７０】
連結部８３は、後側に位置する湾曲部８３ａと、前側に位置する直線部８３ｂと、を備えている。湾曲部８３ａは、貯留シリンダ１０に左右方向に対向している。湾曲部８３ａは、左右方向の外側に突となるように湾曲している。直線部８３ｂは、湾曲部８３ａの前端部から前後方向に沿って真直に延びている。
図１に示すように、押下ヘッド５が最上昇位置に位置するときに、連結部８３（直線部８３ｂ）は、ノズル筒１２（第１ノズル筒３０）に左右方向に対向する。図３および図４に示すように、押下ヘッド５が最上昇位置から下降したときには、連結部８３（直線部８３ｂ）の後端部が、規制板１６に左右方向に対向する。
【００７１】
図１に示すように、保持部６は、上側係止部８４と、下側係止部８５と、を更に備えている。
上側係止部８４は、押下ヘッド５の上下動に連係する。上側係止部８４は、可動体８０に設けられている。上側係止部８４は、本体部８１の下端部によって形成されている。
【００７２】
下側係止部８５は、押下ヘッド５の上下動に非連係である。下側係止部８５は、上側係止部８４の下方に配置されている。下側係止部８５は、貯留シリンダ１０に設けられている。下側係止部８５は、貯留筒部２０から後方に向けて突出している。下側係止部８５の上面は、上側係止部８４の摺動を案内する下ガイド面８５ａとされている。下ガイド面８５ａは、後方に向かうに従い下方に向けて傾斜している。
【００７３】
図３に示すように、押下ヘッド５が最下降位置に位置するときに、上側係止部８４および下側係止部８５が互いに係止することで、保持部６が押下ヘッド５の上昇移動を規制する。本実施形態では、下側係止部８５が係止孔８１ａ内に嵌合し、上側係止部８４および下側係止部８５が互いに軸線Ｏ方向に係止する。これにより、コイルばね５６（ステム３）からの上方付勢力に抗して、押下ヘッド５が最下降位置に保持される。
【００７４】
図１に示すように、規制部７は、上側係止部８４と下側係止部８５との相対的な周方向への移動を規制する。規制部７は、押下ヘッド５の周方向への回転を規制することで、上側係止部８４と下側係止部８５との相対的な周方向への移動を規制している。
【００７５】
規制部７は、第１規制部９１と、第２規制部９２と、を備えている。第１規制部９１は、押下ヘッド５の上下動に連係し、第２規制部９２は、押下ヘッド５の上下動に非連係である。第１規制部９１および第２規制部９２が互いに周方向に係止し合うことで、規制部７が押下ヘッド５の回転を規制する。本実施形態では、第１規制部９１は、前記可動体８０によって形成され、第２規制部９２は、ノズル筒１２および規制板１６によって形成されている。
【００７６】
押下ヘッド５が最上昇位置に位置するときには、連結部８３（第１規制部９１）がノズル筒１２（第２規制部９２）に周方向に係止することで、押下ヘッド５の回転を規制する。図３および図４に示すように、押下ヘッド５が最上昇位置から下降するときには、連結部８３（第１規制部９１）が規制板１６（第２規制部９２）に周方向に係止することで、押下ヘッド５の回転を規制する。
【００７７】
（吐出器の使用）
次に、上述した吐出器１を使用する場合について説明する。なお、液用シリンダ１４内には容器本体Ａ内から内容物が吸い上げられているものとする。
【００７８】
内容物を吐出する場合には、図３に示すように、ヘッド部７０をコイルばね５６のばね力に抗するように押下げ操作して、押下ヘッド５全体を下方移動させる。これにより、連係筒部７１がガイド筒部２１で支持されながら下方移動しはじめるので、突起片７２が液用ピストン１５の連結筒部６１の上方開口端に対して上方から接触する。また、連係筒部７１に伴って上部弁体６５が下方移動しはじめるので、上弁体６６が液用ピストン１５の上弁座部６２から下方に離間する。
従って、液用シリンダ１４内と第１流通路Ｒ１内とが流通孔６８を通じて連通した状態となる。
【００７９】
そして、押下ヘッド５のさらなる押下げ操作によって、突起片７２が液用ピストン１５を押下げるので、図３に示すように、押下ヘッド５及び上部弁体６５と共に、液用ピストン１５及びステム３を同時に下方移動させることができる。この際、上弁体６６が液用ピストン１５の上弁座部６２から下方に離間した状態を維持したまま、押下ヘッド５、上部弁体６５、液用ピストン１５及びステム３を下方移動させることができる。
【００８０】
すると、液用シリンダ１４内を液用ピストン１５が下方移動するので、液用シリンダ１４の内容積が徐々に減少して内圧が上昇する（加圧される）。これにより、下部弁体５０が連通孔４６を閉塞する。また、液用ピストン１５が液用シリンダ１４内の内容物を押し出すので、内容物を、ステム３内を通じて（具体的には、流通孔６８、第１流通路Ｒ１及び第２流通路Ｒ２を通じて）、貯留シリンダ１０側に供給することができる。
これにより、ステム３からの内容物を、貯留空間Ｓを利用して貯留シリンダ１０内に一旦貯留することができる。
【００８１】
なお、押下ヘッド５を例えばストローク分だけ押し下げてステム３を最下降位置まで下降するときに、上側係止部８４および下側係止部８５が互いに摺接しながら、上側係止部８４および下側係止部８５のうちの少なくとも一方が弾性変位して、上側係止部８４および下側係止部８５が互いに係止する。このとき本実施形態では、上側係止部８４の下端縁（本体部８１の下端縁）が、下ガイド面８５ａ上を摺動することで、本体部８１が後方に向けて弾性変形し、上側係止部８４が後方に向けて弾性変位する。そして下側係止部８５が、上側係止部８４において係止孔８１ａよりも下方に位置する部分を軸線Ｏ方向に乗り越えると、本体部８１が前方に向けて復元変形し、上側係止部８４が前方に向けて復元変位する。これにより、下側係止部８５が係止孔８１ａ内に嵌合され、保持部６が押下ヘッド５を最下降位置に保持する。このとき操作部８２は、吐出孔１１よりも下方に配置される。
【００８２】
ここで保持部６は、操作部８２が操作されたときに押下ヘッド５の保持を解除する。本実施形態では、操作部８２が押し込まれると、操作部８２に連動して上側係止部８４が弾性変位することで、上側係止部８４と下側係止部８５との係止が解除され、押下ヘッド５の保持が解除される。操作部８２が後方に押し込まれると、操作部８２への押圧力が連結部８３を介して本体部８１に伝達され、本体部８１が後方に向けて弾性変形する。これにより、下側係止部８５が係止孔８１ａから離脱し、上側係止部８４と下側係止部８５との係止が解除され、保持部６による押下ヘッド５の保持が解除される。
【００８３】
保持部６による押下ヘッド５の保持を解除すると、コイルばね５６の上方付勢力（弾性復元力）によって、上部弁体６５が押し上げられる。そのため、図４に示すように、上部弁体６５及び押下ヘッド５が上方に復元移動するので、液用シリンダ１４及びステム３に対して相対的に上方移動する。
よって、上部弁体６５の上弁体６６が液用ピストン１５の上弁座部６２に対して下方から着座すると共に、連係筒部７１の突起片７２が液用ピストン１５の連結筒部６１の上方開口端から上方に離間する。特に、上弁体６６が上弁座部６２に着座することで、液用シリンダ１４内と第１流通路Ｒ１内との連通が遮断される。
【００８４】
また、上弁体６６が上弁座部６２に着座することで、上部弁体６５及び押下ヘッド５と共に、液用ピストン１５及びステム３が一体となって上方に向けて復元移動する。
そのため、ステム３の復元移動に伴って、吐出ピストン１３が貯留シリンダ１０内を上方移動するので、貯留シリンダ１０内に貯留された内容物を貯留シリンダ１０内から押し出すように、貫通孔２５を通じてノズル筒１２内に供給することができる。これにより、吐出孔１１を通じて内容物を外部に吐出することができる。
【００８５】
また、液用ピストン１５が液用シリンダ１４内を上方移動することで、液用シリンダ１４内は減圧されて負圧状態となるので、下部弁体５０が連通孔４６を開放する。これにより、チューブ体４７を通じて、容器本体Ａ内の内容物を液用シリンダ１４内に吸い上げることができ、次回の吐出に備えることができる。
【００８６】
なお、ステム３及び液用ピストン１５が下方移動してから、元の位置に復元移動するまでの間、図３及び図４に示すように第２空気孔４４が開放されるので、容器本体Ａ内は第２空気孔４４及び第１空気孔２３を通じて外部に連通する。そのため、容器本体Ａ内の空気置換を行うことができ、容器本体Ａ内から液用シリンダ１４内に内容物を吸上げたとしても、容器本体Ａ内が減圧されてしまうことを防止できる。従って、押下ヘッド５のスムーズな復元移動、及び内容物のスムーズな吐出を行うことができる。
【００８７】
上述したように、本実施形態の吐出器１によれば、貯留シリンダ１０内に内容物を一旦貯留できるので、押下ヘッド５の押し下げ操作によってステム３を下方移動させたときに内容物が吐出されてしまうことを防止でき、その後、ステム３を上方に復元移動させたときに内容物を吐出させることができる。
【００８８】
従って、吐出された内容物を、片手だけでなく両手で受け取ることができる。さらに、例えば片手が何等かの理由で塞がっている場合（例えば子供を抱いている場合や、荷物を持っている場合等）であっても、もう一方の片手だけで、内容物の吐出操作（すなわち押下ヘッド５の押し下げ操作）及び吐出された内容物の受け取りを行うことができる。そのため、非常に使い易く、利便性を向上することができる。
【００８９】
しかも、内容物が貯留シリンダ１０内に一旦貯留され、押下ヘッド５が最下降位置まで下降したときに、保持部６によって押下ヘッド５を最下降位置に保持することができる。よって、押下ヘッド５の押下を解除して押下ヘッド５から手を離したときに、押下ヘッド５およびステム３が上昇して内容物が吐出されるのを防ぐことができる。従って、押下ヘッド５から離した手をノズル筒１２に接近させた後に操作部８２を操作し、押下ヘッド５およびステム３を上昇させて内容物を吐出させることができる。また、例えば吐出終了後、次回の吐出のために押下ヘッド５を下降させて保持部６によって押下ヘッド５を最下降位置に保持することで、次回の吐出を円滑に実施することもできる。従って、利便性を更に向上することができる。
【００９０】
また、押下ヘッド５が最下降位置に向けて下降するときに、上側係止部８４および下側係止部８５が互いに摺接しながら、上側係止部８４および下側係止部８５のうちの少なくとも一方が変位して、上側係止部８４および下側係止部８５が互いに係止することで、保持部６が押下ヘッド５の上昇移動を規制する。従って、押下ヘッド５が最下降位置に向けて下降させる作業を実施することにより、保持部６によって押下ヘッド５を最下降位置に保持することができる。これにより、利便性を更に一層向上することができる。
【００９１】
また規制部７が、上側係止部８４と下側係止部８５との周方向への相対的な移動を規制する。したがって、押下ヘッド５が最下降位置に向けて下降するときに、上側係止部８４および下側係止部８５を周方向に相対的に位置決めした上で確実に係止させ合うことができる。
【００９２】
またノズル筒１２が、貯留シリンダ１０側から前方に向けて延び、かつ操作部８２が、貯留シリンダ１０よりも前方に配置されている。従って、操作部８２を手で操作して保持部６による押下ヘッド５の保持を解除した直後、その手をノズル筒１２に接近させておくことができる。これにより、利便性を更に向上することができる。
【００９３】
また、押下ヘッド５が最下降位置に位置するときに、操作部８２が、吐出孔１１よりも下方に配置される。従って、操作部８２を手で操作して保持部６による押下ヘッド５の保持を解除した直後、その手を吐出孔１１の下方に位置させておくことができる。これにより、利便性を更に向上することができる。
【００９４】
また、本実施形態では、液用シリンダ１４及び液用ピストン１５を具備しているので、液用シリンダ１４内に吸上げた内容物を、貯留シリンダ１０内に貯留することができる。
従って、一度の吐出操作で吐出される内容物の量を、液用シリンダ１４の内容積で規定し易く、例えば決まった量の内容物を吐出させ易い。
【００９５】
しかも、貯留シリンダ１０における貯留空間Ｓの内容積のうち吐出ピストン１３の下方移動に伴って増加する増加容積が、液用シリンダ１４の内容積のうち液用ピストン１５の下方移動に伴って減少する容積分以上の容積とされているので、ステム３を下方移動させた際に、貯留シリンダ１０の内容積を超える量の内容物が貯留シリンダ１０内に供給されることを防止することができる。
従って、ステム３の下方移動時に、貯留シリンダ１０内に内容物を確実に貯留でき、貯留シリンダ１０内からノズル筒１２内に内容物が流入し難い。そのため、ステム３の下方移動時に、内容物が吐出孔１１から漏れることを効果的に防止し易い。
【００９６】
更に、ノズル筒１２は固定部材である貯留シリンダ１０に一体に連結され、可動部材である押下ヘッド５とは別体構成とされている。そのため、ノズル筒１２を動かすことなく使用することができ、決まった位置に固定された吐出孔１１から内容物を吐出することができる。従って、吐出された内容物を受け取り易く、使い易さを向上することができる。
【００９７】
（第２実施形態）
次に、本発明に係る第２実施形態の吐出器１００を、図５から図９を参照して説明する。
なお、この第２実施形態においては、第１実施形態における構成要素と同一の部分については同一の符号を付し、その説明を省略し、異なる点についてのみ説明する。
【００９８】
図５から図７に示すように、本実施形態に係る吐出器１００では、ヘッド部７０が、第１装着筒部７３に加えて第２装着筒部７４を備えている。第２装着筒部７４は、ヘッド部７０の頂壁部から下方に向けて延びると共に、連係筒部７１よりも前方に位置する。第２装着筒部７４は、連係筒部７１に対して左右方向にずらされている。第２装着筒部７４は、連係筒部７１よりも軸線Ｏ方向に小さい。第２装着筒部７４は、ヘッド部７０の頂壁部の上面に開口している。
【００９９】
本実施形態では、保持部６が、可動体８０に加えて、固定体１０１を備えている。
固定体１０１は、押下ヘッド５の上下動に非連係である。固定体１０１は、貯留シリンダ１０から前方に向けて突出している。固定体１０１の前端部は、ノズル筒１２の前端部よりも後方に位置している。固定体１０１は、ノズル筒１２と軸線Ｏ方向に同等の位置に配置されている。固定体１０１は、ノズル筒１２に対して左右方向にずらされて配置されて、ノズル筒１２と左右方向に対向している。固定体１０１は、表裏面が左右方向を向く板状に形成されている。
【０１００】
可動体８０は、前記第１実施形態と同様に、本体部８１、操作部８２および連結部８３を備えているものの、本体部８１、操作部８２および連結部８３それぞれの形態は異なっている。また、可動体８０は、第１装着筒部７３ではなく、第２装着筒部７４に装着されている。
【０１０１】
可動体８０は、表裏面が左右方向を向く板状に形成されている。可動体８０は、連係筒部７１より前方に配置されている。可動体８０は、固定体１０１に対して左右方向にずらされている。可動体８０は、ノズル筒１２および固定体１０１に左右方向に対向している。可動体８０は、固定体１０１に左右方向の外側（ノズル筒１２の反対側）から対向している。
【０１０２】
前記側面視において、本体部８１は、軸線Ｏ方向に長い矩形状に形成されている。本体部８１の上端部は、第２装着筒部７４に装着されている。押下ヘッド５が最上昇位置に位置するときに、本体部８１の下端部は、固定体１０１に左右方向に対向している。
操作部８２は、本体部８１よりも前方に配置されている。操作部８２の前端部は、ノズル筒１２の前端部（第３ノズル筒３２）と前後方向に同等の位置に配置されている。操作部８２の上端部は、本体部８１の下端部と軸線Ｏ方向に同等の位置に配置されている。操作部８２は、本体部８１よりも軸線Ｏ方向に小さく前後方向に大きい。
連結部８３は、本体部８１の下端部と操作部８２の上端部とを前後方向に連結している。
【０１０３】
本実施形態では、図５および図６に示すように、上側係止部８４は、前記第１実施形態と同様に可動体８０に設けられている一方、下側係止部８５は、固定体１０１に設けられている。
上側係止部８４は、本体部８１の軸線Ｏ方向の中央部に設けられている。上側係止部８４は、本体部８１から左右方向の内側に向けて突出している。上側係止部８４は、本体部８１を前後方向に横断している。上側係止部８４の下端部には、上ガイド面８４ａが設けられている。上ガイド面８４ａは、左右方向の内側に向かうに従い漸次、上方に向けて傾斜している。
【０１０４】
下側係止部８５は、固定体１０１の下端部に設けられている。下側係止部８５は、固定体１０１から左右方向の外側に向けて突出している。下側係止部８５には、前記下ガイド面８５ａが設けられている。下ガイド面８５ａは、左右方向の外側に向かうに従い下方に向けて傾斜している。
【０１０５】
本実施形態では、図５に示すように、第１規制部９１が、可動体８０によって形成されているのに代えて、可動体８０とは独立して設けられている。第２規制部９２は、ノズル筒１２および規制板１６によって形成されているのに代えて、ノズル筒１２および規制板１６とは独立して設けられている。
【０１０６】
第１規制部９１は、押下ヘッド５に設けられている。第１規制部９１は、表裏面が前後方向を向く板状に形成されている。第１規制部９１の上端部は、第１装着筒部７３に装着されている。第１規制部９１の下端部は、貯留シリンダ１０の上端部に後方から対向している。第１規制部９１には、軸線Ｏ方向に長い規制孔９１ａが形成されている。
【０１０７】
第２規制部９２は、貯留シリンダ１０に設けられている。第２規制部９２は、囲繞筒部２７から後方に向けて突出している。第２規制部９２は、規制孔９１ａ内に上下動自在に挿通されている。第２規制部９２が、第１規制部９１における規制孔９１ａの開口周縁部に係止することで、規制部７は押下ヘッド５の回転を規制する。
【０１０８】
（吐出器の使用）
図８および図９に示すように、前記吐出器１００において押下ヘッド５を最下降位置まで下降するときには、上ガイド面８４ａが下ガイド面８５ａ上を摺動することで、本体部８１が左右方向の外側に向けて弾性変形し、上側係止部８４が左右方向の外側に向けて弾性変位する。上側係止部８４が下側係止部８５を軸線Ｏ方向に乗り越えると、本体部８１が左右方向の内側に向けて復元変形し、上側係止部８４が左右方向の内側に向けて復元変位する。これにより、上側係止部８４の上端部が下側係止部８５の下端部に下方から係止し、保持部６が押下ヘッド５を最下降位置に保持する。このとき操作部８２は、吐出孔１１よりも下方に配置される。
【０１０９】
押下ヘッド５の保持を解除するときには、操作部８２を左右方向の外側に押し込む。すると、操作部８２への押圧力が連結部８３を介して本体部８１に伝達され、本体部８１が左右方向の外側に向けて弾性変形する。これにより、上側係止部８４と下側係止部８５との係止が解除され、保持部６による押下ヘッド５の保持が解除される。
【０１１０】
上述したように、本実施形態の吐出器１００によれば、前記第１実施形態と同様の作用効果を奏することができる。
【０１１１】
（第３実施形態）
次に、本発明に係る第３実施形態の吐出器１１０を、図１０から図１３を参照して説明する。
なお、この第３実施形態においては、第１実施形態における構成要素と同一の部分については同一の符号を付し、その説明を省略し、異なる点についてのみ説明する。
【０１１２】
図１０から図１２に示すように、本実施形態に係る吐出器１１０では、可動体８０が、押下ヘッド５の上下動に非連係である。図示の例では、装着キャップ２に、可動体８０を支持する支持部１１１が設けられている。支持部１１１は、装着キャップ２から上方に向けて突出している。支持部１１１は、貯留シリンダ１０を左右方向に挟み込むように一対設けられている。支持部１１１は、軸線Ｏよりも前方に配置されている。支持部１１１の上端部は、貯留シリンダ１０の上端部よりも下方に位置している。
支持部１１１の上端部には、貯留シリンダ１０を左右方向に貫通する軸受孔１１１ａが形成されている。前記側面視において、軸受孔１１１ａは、円形状に形成されている。
【０１１３】
可動体８０は、前記第１実施形態と同様に、本体部８１、操作部８２および連結部８３を備えているものの、本体部８１の形態が異なっている。
図１１および図１２に示すように、本体部８１は、左右一対の縦部材１１２と、上下一対の横部材１１３と、を備えている。縦部材１１２は、貯留シリンダ１０を左右方向に挟み込むように一対、設けられている。縦部材１１２は、支持部１１１と前後方向に同等の位置に配置されている。縦部材１１２の上端部は、貯留シリンダ１０よりも上方に位置している。縦部材１１２の下端部は、装着キャップ２の天壁部から上方に離間している。
【０１１４】
横部材１１３は、縦部材１１２を左右方向に連結する。横部材１１３は、縦部材１１２の上端部同士を連結する第１横部材１１４と、縦部材１１２の下端部同士を連結する第２横部材１１５と、を備えている。第１横部材１１４は、左右方向に真直に延びている。第１横部材１１４は、貯留シリンダ１０の上方に位置している。第２横部材１１５は、前方に向けて突となるように湾曲している。第２横部材１１５は、貯留シリンダ１０の前方に位置している。第２横部材１１５は、前記連結部８３を介して操作部８２に連結されている。なお操作部８２は、吐出孔１１よりも下方に配置されている。また操作部８２は、吐出孔１１よりも後方に配置されている。
【０１１５】
本体部８１には、軸部１１６と、弾性片１１７と、が更に備えられている。
軸部１１６は、各縦部材１１２に設けられ、左右一対配置されている。軸部１１６は、縦部材１１２から左右方向の外側に突出し、軸受孔１１１ａ内に回転自在に嵌合されている。左右一対の軸部１１６は、互いに同軸に配置されている。これにより、本体部８１（可動体８０）は、支持部１１１に揺動軸Ｌ回りに揺動自在に支持されている。揺動軸Ｌは、左右一対の軸部１１６の両中心軸上に位置する。
【０１１６】
弾性片１１７は、本体部８１が揺動軸Ｌ回りに揺動したときに、本体部８１を、揺動軸Ｌ回りに復元変位する方向に付勢する。弾性片１１７は、本体部８１と装着キャップ２との間に配置されている。弾性片１１７は、各縦部材１１２の下端部から下方斜め前方に向けて突出し、左右一対配置されている。弾性片１１７の前端部は、装着キャップ２上に位置している。
【０１１７】
図１０から図１２に示すように、本実施形態では、上側係止部８４が、押下ヘッド５に設けられ、下側係止部８５が、可動体８０に設けられている。
上側係止部８４は、連係筒部７１から径方向の外側に向けて突出している。上側係止部８４は、周方向の全周にわたって設けられている。上側係止部８４の下端部には、前記第２実施形態と同様に、上ガイド面８４ａが設けられている。上ガイド面８４ａは、前方（径方向の外側）に向かうに従い漸次、上方に向けて傾斜している。
【０１１８】
下側係止部８５は、本体部８１から後方に向けて突出している。下側係止部８５は、第１横部材１１４から後方に向けて突出している。下側係止部８５の後端部は、連係筒部７１の外周面に当接している。下側係止部８５には、前記下ガイド面８５ａが設けられている。
【０１１９】
なお、本実施形態に係る吐出器１１０では、規制部７が設けられていないものの、上側係止部８４が前述のように周方向の全周にわたって設けられている。これにより、押下ヘッド５が周方向に回転しても、上側係止部８４と下側係止部８５とを軸線Ｏ方向に対向させておくことができる。
【０１２０】
（吐出器の使用）
図１３に示すように、前記吐出器１１０において押下ヘッド５を最下降位置まで下降するときには、上ガイド面８４ａが下ガイド面８５ａ上を摺動することで、弾性片１１７が本体部８１と装着キャップ２との間で弾性変形しながら、可動体８０が揺動軸Ｌ回りに揺動し、上側係止部８４が前方に向けて弾性変位する。上側係止部８４が下側係止部８５を軸線Ｏ方向に乗り越えると、弾性片１１７が復元変形して可動体８０が揺動軸Ｌ回りに付勢され、上側係止部８４が後方に向けて復元変位する。これにより、上側係止部８４の上端部が下側係止部８５の下端部に下方から係止し、保持部６が押下ヘッド５を最下降位置に保持する。このとき操作部８２は、吐出孔１１よりも下方に配置される。
【０１２１】
押下ヘッド５の保持を解除するときには、操作部８２を後方に押し込む。すると、操作部８２への押圧力が連結部８３を介して本体部８１に伝達され、弾性片１１７が弾性変形しながら本体部８１が揺動軸Ｌ回りに揺動する。これにより、上側係止部８４と下側係止部８５との係止が解除され、保持部６による押下ヘッド５の保持が解除される。
【０１２２】
上述したように、本実施形態の吐出器１１０によれば、前記第１実施形態と同様の作用効果を奏することができる。
【０１２３】
なお、本発明の技術的範囲は前記実施形態に限定されるものではなく、本発明の趣旨を逸脱しない範囲において種々の変更を加えることが可能である。
【０１２４】
例えば、上記実施形態では、吐出機構として液用シリンダ及び液用ピストンを具備するポンプ機構を採用したが、この場合に限定されるものではない。例えば、容器本体内に内容物が圧縮された状態で充填され、ステムを押し下げることで内容物がステムから噴出するエアゾール機構を採用しても構わない。この場合であっても、貯留シリンダ内にステムからの内容物を一旦貯留できるので、本実施形態と同様の作用効果を奏功することができる。
【０１２５】
上記実施形態では、液用シリンダ１４に下部弁体５０が設けられ、ステム３と共に液用ピストン１５が液用シリンダ１４内を下方移動したときに、下部弁体５０が液用シリンダ１４と容器本体Ａとの連通を遮断することで液用シリンダ１４内が加圧され、これにより、液用シリンダ１４内の内容物を貯留シリンダ１０に供給している。しかしながら本発明はこれに限られない。例えば、ノズル筒１２に開閉弁を設け、貯留シリンダ１０内の減圧時に開閉弁が貯留シリンダ１０と吐出孔１１との連通を遮断し、貯留シリンダ１０内の加圧時に下部弁体が貯留シリンダ１０と吐出孔１１とを連通させる構成を採用してもよい。この場合、ステム３と共に吐出ピストン１３が貯留シリンダ１０内を下方移動したときに、開閉弁が貯留シリンダ１０と吐出孔１１との連通を遮断し、貯留シリンダ１０内が減圧される。これにより、液用シリンダ１４内の内容物を貯留シリンダ１０に供給することができる。
【０１２６】
上記実施形態では、押下ヘッド５が最下降位置まで下降するときに、上側係止部８４および下側係止部８５のうちの少なくとも一方が弾性変位して、上側係止部８４および下側係止部８５が互いに係止する。しかしながら本発明はこれに限られない。例えば、上側係止部８４および下側係止部８５が互いに係止するときに、上側係止部８４や下側係止部８５が、必ずしも弾性的に変位する必要がなく、弾性復元力を受けることなく変位してもよい。
【０１２７】
上記実施形態では、吐出器１が内容物を液状のまま吐出するが、本発明はこれに限られない。例えば、内容物を泡状にして吐出する吐出器に本発明を適用することも可能である。例えば、吐出器が、ステム内に連通した液用シリンダと、ステムに連係して上下動すると共に、液用シリンダ内に上下摺動可能に配設され、ステムの下方移動に伴って液用シリンダ内の内容物を前記ステム内に供給する液用ピストンと、ステムに連係する空気用ピストンが内部に上下摺動自在に収容された空気用シリンダと、を備え、ステムには、液用シリンダから供給される内容物と空気用シリンダから供給される空気とを混合する気液混合室と、気液混合室で混合された気液混合体を発泡させて内容物を泡状にした状態で、貯留シリンダ内に供給させる発泡部材と、が設けられた構成に本発明を適用することもできる。
【０１２８】
上記実施形態では、吐出孔１１が、ノズル筒１２の前端部に形成されているが、本発明はこれに限られない。例えば、吐出孔１１が、ノズル筒１２の前後方向における中間部に形成されていてもよい。
【０１２９】
押下ヘッド５が最下降位置に位置するときに、操作部８２が吐出孔１１よりも下方に配置されていなくてもよい。
操作部８２が、貯留シリンダ１０よりも前方に配置されていなくてもよい。
上記第１実施形態および第２実施形態において、規制部７が無くてもよい。
【０１３０】
その他、本発明の趣旨に逸脱しない範囲で、前記実施形態における構成要素を周知の構成要素に置き換えることは適宜可能であり、また、前記した変形例を適宜組み合わせてもよい。
【符号の説明】
【０１３１】
１、１００、１１０     吐出器
３     ステム
５     押下ヘッド
６     保持部
７     規制部
１０   貯留シリンダ
１１   吐出孔
１２   ノズル筒
１３   吐出ピストン
１４   液用シリンダ
１５   液用ピストン
８２   操作部
８４   上側係止部
８５   下側係止部
Ａ     容器本体
Ａ１   口部
【図１】
2018002202.tif 000003
【図２】
2018002202.tif 000004
【図３】
2018002202.tif 000005
【図４】
2018002202.tif 000006
【図５】
2018002202.tif 000007
【図６】
2018002202.tif 000008
【図７】
2018002202.tif 000009
【図８】
2018002202.tif 000010
【図９】
2018002202.tif 000011
【図１０】
2018002202.tif 000012
【図１１】
2018002202.tif 000013
【図１２】
2018002202.tif 000014
【図１３】
2018002202.tif 000015